(57)【要約】【課題】収納性の向上及び視聴角度の自由度向上に加え、これらの機能を損なうことなくさらに鏡台としても使うことのできるテレビ付き床頭台を提供する。【解決手段】床頭台１は、背板１１の天板１２より上に伸びた部分に一端を固定された多関節アーム２０の自由端に前面をハーフミラー３２で覆われた薄型ワイドテレビ３０を取り付ける。多関節アーム２０は、複数の回動アーム２３，２４を備えると共に、自由端にユニバーサルジョイント２６を介して取り付けられる十字型テレビホールド部材２７を備える。薄型ワイドテレビ３０は、背面中心で十字型テレビホールド部剤２７に固定されている。薄型ワイドテレビ３０は、長辺を垂直方向に回動させた状態で多関節アーム２０を折り畳むことにより、天板１２より上の部分に収納可能な大きさである。【選択図】  図３
2010268977.tif 000002
【特許請求の範囲】
【請求項１】
収納機能を有する床頭台に以下の構成を備えさせたことを特徴とする薄型ワイドテレビ付き床頭台。
（１）天板より上まで伸びる背板を備えていること。
（２）前記背板の天板より上に伸びた部分に一端を固定された多関節アームを備えていること。
（３）前記多関節アームの自由端に薄型ワイドテレビが固定されていること。
（４）前記薄型ワイドテレビは、視聴面をハーフミラーで覆われていること。
（５）前記多関節アームは、複数の回動アームを備えると共に、該複数の回動アームの内の先端のアームの自由端にユニバーサルジョイントを介して取り付けられるテレビホールド部とを備えていること。
（６）前記薄型ワイドテレビは、背面中心で前記テレビホールド部に固定されていること。
（７）前記薄型ワイドテレビは、長辺を垂直方向に回動させた状態で前記多関節アームを折り畳むことにより、天板より上の部分に収納可能な大きさであること。
【請求項２】
さらに、以下の構成をも備えていることを特徴とする請求項１記載の薄型ワイドテレビ付き床頭台。
（８）前記多関節アームは、前記背板に対して固定するための固定用基部と、該固定用基部から前方へ伸びるボス部に対して垂直軸周りに回動可能に取り付けられる第１アームと、この第１アームの先端に対して垂直軸周りに回動可能に取り付けられる第２アームと、この第２アームの先端に対して垂直軸周りに回動可能に取り付けられる先端ブロックと、この先端ブロックの前面中心にユニバーサルジョイントで上下左右に回動できかつ水平軸周りに回転可能な様に取り付けられる十字型テレビホールド部材とを備え、前記薄型ワイドテレビは、この十字型テレビホールド部材に対してネジ止め固定されていること。
【発明の詳細な説明】
【技術分野】
【０００１】
本発明は、床頭台に係り、特に、薄型ワイドテレビ付きの床頭台に関する。
【背景技術】
【０００２】
従来、病室のベッドサイド等で利用される床頭台に関して、薄型テレビを備えたものが種々提案されている（例えば、特許文献１〜８）。
【０００３】
特許文献１〜５は、テレビの視聴を行わない状態での収納に特徴を有する提案であり（図６参照）、特許文献６〜８は、テレビ視聴時の視聴角度の自由度を高める提案となっている（図７参照）。なお、特許文献２は、収納に加えて視聴角度の自由度の向上も提案するものとなっている。
【先行技術文献】
【特許文献】
【０００４】
【特許文献１】特開平１１−１６９２３７号公報（図２等）
【特許文献２】特開２００５−１９８９２３号公報（図５等）
【特許文献３】特開２００６−２２７５１０号公報（図１，２等）
【特許文献４】特開２００６−２９５８６４号公報（図１，２等）
【特許文献５】特開２００６−３５２３４６号公報（図１，２等）
【特許文献６】特開２００６−２４３２７０号公報（図７等）
【特許文献７】特開２００７−２０１２７号公報（図１等）
【特許文献８】特開２００９−６０４６８号公報（図１等）
【発明の概要】
【発明が解決しようとする課題】
【０００５】
本発明は、収納性の向上及び視聴角度の自由度向上に加え、これらの機能を損なうことなくさらに鏡台としても使うことのできる床頭台を提供し、入院生活に潤いを与えることを目的とする。
【課題を解決するための手段】
【０００６】
上記目的を達成するためになされた本発明の薄型ワイドテレビ付き床頭台は、収納機能を有する床頭台に以下の構成を備えさせたことを特徴とする。
（１）天板より上まで伸びる背板を備えていること。
（２）前記背板の天板より上に伸びた部分に一端を固定された多関節アームを備えていること。
（３）前記多関節アームの自由端に薄型ワイドテレビが固定されていること。
（４）前記薄型ワイドテレビは、視聴面をハーフミラーで覆われていること。
（５）前記多関節アームは、複数の回動アームを備えると共に、該複数の回動アームの内の先端のアームの自由端にユニバーサルジョイントを介して取り付けられるテレビホールド部とを備えていること。
（６）前記薄型ワイドテレビは、背面中心で前記テレビホールド部に固定されていること。
（７）前記薄型ワイドテレビは、長辺を垂直方向に回動させた状態で前記多関節アームを折り畳むことにより、天板より上の部分に収納可能な大きさであること。
【０００７】
本発明の床頭台によれば、テレビを視聴しないときは、薄型ワイドテレビを長辺が垂直方向となる様に回転させた状態で多関節アームを折り畳む。これにより、あたかも縦長の鏡が備わった様な状態となる。一方、テレビを視聴しようとするときは、多関節アームを伸ばし、薄型ワイドテレビを９０度回転させ、テレビ電源をＯＮにすればハーフミラーを透過して画面が見える状態になる。また、多関節アームを伸ばした状態で薄型ワイドテレビを上下左右に傾かせて最も見やすい状態の姿見として使用することもできる。
【０００８】
ここで、本発明の床頭台は、さらに、以下の構成をも備えるとよい。
（８）前記多関節アームは、前記背板に対して固定するための固定用基部と、該固定用基部から前方へ伸びるボス部に対して垂直軸周りに回動可能に取り付けられる第１アームと、この第１アームの先端に対して垂直軸周りに回動可能に取り付けられる第２アームと、この第２アームの先端に対して垂直軸周りに回動可能に取り付けられる先端ブロックと、この先端ブロックの前面中心にユニバーサルジョイントで上下左右に回動できかつ水平軸周りに回転可能な様に取り付けられる十字型テレビホールド部材とを備え、前記薄型ワイドテレビは、この十字型テレビホールド部材に対してネジ止め固定されていること。
【０００９】
水平方向に回動させて多関節アームを伸縮させるので、視聴状態、収納状態、さらには、任意方向を向かせた姿見の状態とする際に、テレビを床頭台の天板等にぶつけることがないからである。
【発明の効果】
【００１０】
本発明によれば、収納性の向上及び視聴角度の自由度向上に加え、これらの機能を損なうことなくさらに鏡台としても使うことのできる床頭台を提供し、入院生活に潤いを与えることができる。
【図面の簡単な説明】
【００１１】
【図１】実施例１の床頭台を示し、（Ａ）は正面図、（Ｂ）は側面図である。
【図２】実施例１の床頭台を示し、（Ａ）は正面図、（Ｂ）は側面図である。
【図３】実施例１の床頭台を示し、（Ａ）は正面図、（Ｂ）は側面図である。
【図４】実施例１の床頭台を示し、（Ａ）は正面図、（Ｂ）は側面図である。
【図５】実施例１の床頭台に用いる多関節アームを示し、（Ａ）は斜視図、（Ｂ）は側面図である。
【図６】従来技術の説明図である。
【図７】従来技術の説明図である。
【発明を実施するための形態】
【００１２】
本発明を実施するための形態は、床頭台に薄型ワイドテレビを備えたものであって、具体的には、以下に、実施例で説明する。
【実施例１】
【００１３】
実施例１の床頭台１は、図１〜図４に示す様に、背板１１と、天板１２と、左右の側板１３，１３と、底板１４と、中仕切り板１５とによって形成される筐体に、上から順番に引出式ワークテーブル１６、引き出し１７及び両開き扉１８，１８を備え、底面の４個のキャスタ１９によって移動可能に構成されている。そして、背板１１の天板１２より上に伸びた部分の中央に一端を固定された多関節アーム２０を備え、この多関節アーム２０の自由端には薄型ワイドテレビ３０が固定されている。
【００１４】
薄型ワイドテレビ３０は、本体３１の前面をハーフミラー３２で覆われている。従って、テレビ電源がＯＦＦになっているときは背後の画面は見えず、テレビ電源をＯＮにしたときに画面が透過して見える構成となっている。なお、薄型ワイドテレビ３０は、画面サイズが横：縦＝１６：９の一般的なものを用いる。
【００１５】
多関節アーム２０は、図５に示す様に、固定用基部２１と、固定用基部２１から前方へ伸びるボス部２２に対して垂直軸周りに回動可能に取り付けられる第１アーム２３と、この第１アーム２３の先端に対して垂直軸周りに回動可能に取り付けられる第２アーム２４と、この第２アーム２４の先端に対して垂直軸周りに回動可能に取り付けられる先端ブロック２５と、この先端ブロック２５の前面中心にユニバーサルジョイント２６で上下左右に回動できかつ水平軸周りに回転可能な様に取り付けられる十字型テレビホールド部材２７とを備えている。薄型ワイドテレビ３０は、この十字型テレビホールド部材２７に対してネジ止め固定される。
【００１６】
本実施例の床頭台１においては、テレビを視聴しないときは、図１に示す様に、薄型ワイドテレビ３０を長辺が垂直方向となる様に回転させた状態で多関節アーム２０を折り畳む。これにより、あたかも縦長の鏡が備わった様な状態となる。なお、薄型ワイドテレビ３０は、長辺を垂直方向に回動させた状態で多関節アーム２０を折り畳むことにより、天板１２より上の部分に収納可能な大きさである。
【００１７】
一方、テレビを視聴しようとするときは、多関節アーム２０を伸ばし（図２参照）、薄型ワイドテレビ２０を９０度回転させ（図３参照）、テレビ電源をＯＮにすればハーフミラー３２を透過して画面３３が見える状態になる（図４参照）。
【００１８】
なお、図２の様に多関節アーム２０を伸ばした状態で薄型ワイドテレビ３０を上下左右に傾かせて最も見やすい状態の姿見として使用してもよい。
【００１９】
本実施例によれば、視聴しない状態においては壁掛け鏡の様にテレビ３０を収納しておくことができ、床頭台１の天板１２上が違和感のないテーブルとして使用可能な状態となる。一方、多関節アーム２０を伸ばしてテレビ３０を上下左右に傾かせてやることで、ベッドにいながら身支度等の際の姿見として使用することができる。そして、多関節アーム２０を伸ばした状態でテレビ３０を長辺が水平方向になる視聴位置へと回動させて電源をＯＮすれば、テレビ放送を視聴することができる。このとき、映像は、鏡の中に表示された状態となり、単にテレビを見ているというよりは、斬新なＡＶ機器による映像を楽しんでいる様な気分になる。また、テレビ視聴の際にも上下左右にテレビ３０を回動すると共に、多関節アーム２０の全体を左右に回動して最適な視聴状態を容易に実現することができる。
【００２０】
また、本実施例では、水平方向に回動させて多関節アームを伸縮させるので、視聴状態、収納状態、さらには、任意方向を向かせた姿見の状態とする際に、テレビ３０を床頭台１の天板１２等にぶつけることがない。
【００２１】
以上、本発明の一実施例について説明したが、本発明はこの実施例に限られるものではなく、その要旨を逸脱しない範囲内においてさらに種々の形態で実施することができる。
【００２２】
例えば、多関節アームは水平方向に回動して伸縮されるものではなく、垂直方向に回動して伸縮されるものとしたり、さらに多関節ロボットアームの様に各関節がユニバーサルジョイントで構成されたものとしてもよい。
【産業上の利用可能性】
【００２３】
単なる収納具としてだけではなく、ベッドサイドでの身支度やテレビ視聴を快適に楽しむことのできる床頭台として好適なものである。
【符号の説明】
【００２４】
１・・・床頭台
１１・・・背板
１２・・・天板
１３・・・側板
１４・・・底板
１５・・・中仕切り板
１６・・・引出式ワークテーブル
１７・・・引き出し
１８・・・両開き扉
１９・・・キャスタ
２０・・・多関節アーム
２１・・・固定用基部
２２・・・ボス部
２３・・・第１アーム
２４・・・第２アーム
２５・・・先端ブロック
２６・・・ユニバーサルジョイント
２７・・・十字型テレビホールド部材
３０・・・薄型ワイドテレビ
３１・・・本体
３２・・・ハーフミラー
３３・・・画面
【図１】
2010268977.tif 000003
【図２】
2010268977.tif 000004
【図３】
2010268977.tif 000005
【図４】
2010268977.tif 000006
【図５】
2010268977.tif 000007
【図６】
2010268977.tif 000008
【図７】
2010268977.tif 000009